(57)【特許請求の範囲】
【請求項１】
供給バッグと、
該供給バッグを支持するように構成された装置であって、該供給バッグは、患者の腹膜腔より上に位置する、装置と、
該患者に接続されるように構成された患者ラインと、
ドレインに接続されるように構成された排液ラインと、
（ｉ）真空を（ａ）患者ラインピンチ弁に適用することにより該患者ラインが開き、真空を（ｂ）排液ラインピンチ弁に適用することにより該排液ラインが開き、（ｉｉ）該真空を（ａ）該患者ラインピンチ弁から除去することにより、閉じられた該患者ラインが締められ、該真空を（ｂ）該排液ラインピンチ弁から除去することにより、閉じられた該排液ラインが締められるように、該患者ラインピンチ弁、および、該排液ラインピンチ弁を動作させるように構成された単一の真空源と、
（ｉ）充填サイクル中に、未使用の透析液を該供給バッグから該患者ラインを通じて該腹膜腔に重力送液することを可能にすることと、（ｉｉ）排液サイクル中に、該単一の真空源により使用済みの透析液が該腹膜腔から該排液ラインを通じて該ドレインに抜けることを可能にすることと、（ｉｉｉ）該患者ライン弁および該排液ライン弁を制御することとを行うように構成された論理インプリメンタと
を備える、腹膜透析機。
【請求項２】
前記未使用の透析液を前記供給バッグ中で加熱するように構成され配置されたヒータを含む、請求項１に記載の腹膜透析機。
【請求項３】
前記論理インプリメンタは、（ｉ）プライムサイクル中に、未使用の透析液を前記供給バッグから前記患者ラインの遠位端に重力送液すること、（ｉｉ）滞留サイクル中に、透析液を前記腹膜腔内に一定期間維持すること、（ｉｉｉ）前記充填および排液サイクルを少なくとも１回繰り返すことのうちの少なくとも１つを可能にするようにさらに構成されている、請求項１に記載の腹膜透析機。
【請求項４】
前記真空源を収容するエンクロージャを含み、該エンクロージャは、前記論理インプリメンタで動作可能なユーザ−マシンインターフェースを提供する、請求項１に記載の腹膜透析機。
【請求項５】
前記供給バッグ支持装置は、（ｉ）前記エンクロージャも支持するスタンドを含むか、（ｉｉ）該エンクロージャの頂部であるか、または、（ｉｉｉ）該エンクロージャから離間したヒータを支持するように構成されている、請求項４に記載の腹膜透析機。
【請求項６】
（ｉ）前記真空源で動作可能な少なくとも１つのソレノイド弁と、
（ｉｉ）前記供給バッグおよび前記排液バッグのうちの少なくとも１つを計量するように構成されたロードセルと、
（ｉｉｉ）前記患者ラインおよび前記排液ラインのうちの少なくとも１つと流体連通する使い捨て可能なカセットと、
（ｉｖ）該患者ラインおよび該排液ラインのうちの少なくとも１つを開閉するように動作可能な弁アクチュエータと、
（ｖ）該患者ライン、該排液ライン、該真空源のうちの少なくとも１つの圧力を感知するように構成され配置された少なくとも１つの圧力センサと
から成る群から選択される少なくとも１つの他の構成要素を含む、請求項１に記載の腹膜透析機。
【請求項７】
前記ドレインは、（ｉ）再利用可能なコンテナ、または、（ｉｉ）使い捨て可能なバッグを含む、請求項１に記載の腹膜透析機。
【請求項８】
前記真空源は、前記ドレインと空気連通し、前記論理インプリメンタは、該真空源が該ドレインに陰圧を印加することにより、前記排液サイクル中に、前記使用済みの透析液が前記腹膜腔から抜けるように構成されている、請求項１に記載の腹膜透析機。
【請求項９】
前記真空源は、前記ドレインを囲むチャンバと空気連通し、前記論理インプリメンタは、該真空源が該チャンバに陰圧を印加することにより、前記排液サイクル中に、前記使用済みの透析液が前記腹膜腔から抜けるように構成されている、請求項１に記載の腹膜透析機。
【請求項１０】
前記患者ラインを通じて前記腹膜腔に未使用の透析液を重力送液するように構成された複数の供給バッグを含む、請求項１に記載の腹膜透析機。
【請求項１１】
充填バッグを含み、前記論理インプリメンタは、前記充填サイクル後に、該充填バッグから前記供給バッグを補充するように構成されている、請求項１に記載の腹膜透析機。
【請求項１２】
前記論理インプリメンタは、前記排液サイクル中に、前記真空源を制御し、透析液を前記腹膜腔から異なる流速で除去できるように構成されている、請求項１に記載の腹膜透析機。
【請求項１３】
供給バッグと、
該供給バッグを支持するように構成された装置であって、該供給バッグは、患者の腹膜腔より上に位置する、装置と、
該患者に接続されるように構成された患者ラインと、
ドレインに接続されるように構成された排液ラインと、
該ドレインと空気連通する単一の真空源であって、該単一の真空源は、（ｉ）真空を（ａ）患者ラインピンチ弁に適用することにより該患者ラインが開き、真空を（ｂ）排液ラインピンチ弁に適用することにより該排液ラインが開き、（ｉｉ）該真空を（ａ）該患者ラインピンチ弁から除去することにより、閉じられた該患者ラインが締められ、該真空を（ｂ）該排液ラインピンチ弁から除去することにより、閉じられた該排液ラインが締められるように、該患者ラインピンチ弁、および、該排液ラインピンチ弁を動作させるように構成されている、単一の真空源と、
（ｉ）充填サイクル中に、未使用の透析液を該供給バッグから該患者ラインを通じて該腹膜腔に重力送液することを可能にすることと、（ｉｉ）排液サイクル中に、該単一の真空源が該排液ラインに陰圧を印加することにより、使用済みの透析液が該腹膜腔から該排液ラインを通じて該ドレインに抜けることを可能にすることと、（ｉｉｉ）該患者ライン弁および該排液ライン弁を制御することとを行うように構成された論理インプリメンタと
を備える、腹膜透析機。
【請求項１４】
前記論理インプリメンタは、（ｉ）プライムサイクル中に、未使用の透析液を前記供給バッグから前記患者ラインの遠位端に重力送液すること、（ｉｉ）滞留サイクル中に、透析液を前記腹膜内に一定期間維持すること、（ｉｉｉ）前記充填および排液サイクルを少なくとも１回繰り返すことのうちの少なくとも１つを可能にするようにさらに構成されている、請求項１３に記載の腹膜透析機。
【請求項１５】
前記供給バッグ支持装置は、（ｉ）前記真空源および前記論理インプリメンタのうちの少なくとも１つを収容するエンクロージャ、（ｉｉ）前記供給バッグを加熱するように構成され配置されたヒータのうちの少なくとも１つをさらに支持する、請求項１３に記載の腹膜透析機。
【請求項１６】
（ｉ）前記真空源で動作可能な少なくとも１つのソレノイド弁と、
（ｉｉ）前記ドレインを計量するように構成されたロードセルと、
（ｉｉｉ）前記患者ラインおよび前記排液ラインのうちの少なくとも１つと流体連通する多岐弁として提供された前記患者ライン弁および排液ライン弁と、
（ｉｖ）該患者ライン、該排液ライン、該真空源のうちの少なくとも１つの圧力を感知するように構成され配置された少なくとも１つの圧力センサと
から成る群から選択された少なくとも１つの他の構成要素を含む、請求項１３に記載の腹膜透析機。
【請求項１７】
前記ドレインは、（ｉ）印加された陰圧に耐えるように構成された密閉構造、（ｉｉ）透析液ではなく空気を該ドレインから前記真空ラインに流すことができるフィルタのうちの少なくとも１つを含む、請求項１３に記載の腹膜透析機。
【請求項１８】
前記患者ラインを通じて前記腹膜腔に未使用の透析液を重力送液するように構成された複数の供給バッグを含む、請求項１３に記載の腹膜透析機。
【請求項１９】
前記論理インプリメンタは、前記排液サイクル中に、前記真空源を制御し、透析液を異なる流速で前記腹膜腔から除去できるように構成されている、請求項１３に記載の腹膜透析機。
【請求項２０】
未使用の透析液コンテナと、
該未使用のコンテナを支持するように構成された装置であって、該未使用のコンテナは患者の腹膜腔より上に位置する、装置と、
該患者に接続されるように構成された患者ラインと、
ドレインに接続されるように構成された排液ラインと、
使用済みの透析液コンテナと、
該使用済みのコンテナを囲むチャンバと空気連通する単一の真空源であって、該単一の真空源は、（ｉ）真空を（ａ）患者ラインピンチ弁に適用することにより該患者ラインが開き、真空を（ｂ）排液ラインピンチ弁に適用することにより該排液ラインが開き、（ｉｉ）該真空を（ａ）該患者ラインピンチ弁から除去することにより、閉じられた該患者ラインが締められ、該真空を（ｂ）該排液ラインピンチ弁から除去することにより、閉じられた該排液ラインが締められるように、該患者ラインピンチ弁、および、該排液ラインピンチ弁を動作させるように構成されている、単一の真空源と、
（ｉ）充填サイクル中に、未使用の透析液を該未使用のコンテナから該患者ラインを通じて該腹膜腔に重力送液することを可能にすることと、（ｉｉ）排液サイクル中に、該単一の真空源が該チャンバに陰圧を印加し、使用済みの透析液が該腹膜腔から該使用済みのコンテナに抜けることを可能にすることと、（ｉｉｉ）該患者ライン弁および該排液ライン弁を制御することとを行うように構成された論理インプリメンタと
を備える、腹膜透析機。
【請求項２１】
前記論理インプリメンタは、（ｉ）プライムサイクル中に、未使用の透析液を前記未使用のコンテナから前記患者ラインの遠位端に重力送液すること、（ｉｉ）滞留サイクル中に、透析液を前記腹膜腔内に一定期間維持することと、（ｉｉｉ）前記充填および排液サイクルを少なくとも１回繰り返すことのうちの少なくとも１つを可能にするようにさらに構成されている、請求項２０に記載の腹膜透析機。
【請求項２２】
前記未使用および使用済みのコンテナは、前記患者ラインピンチ弁のための患者ライン弁座および前記排液ラインピンチ弁のための排液ライン弁座のうちの少なくとも１つを有する使い捨て可能な弁部分に流体連結されている、請求項２０に記載の腹膜透析機。
【請求項２３】
前記未使用および使用済みのコンテナは、前記チャンバより下に収容されたデュアルチャンババッグの一部として構成されている、請求項２０に記載の腹膜透析機。
【請求項２４】
前記未使用および使用済みのコンテナは、別個の供給バッグおよび排液バッグとして構成されている、請求項２０に記載の腹膜透析機。
【請求項２５】
前記支持装置は、前記論理インプリメンタに動作可能に接続されたヒータパンおよびロードセルのうちの少なくとも１つを含む、請求項２０に記載の腹膜透析機。
【請求項２６】
前記未使用のコンテナが前記ヒータパン上に配置されるように構成されている、請求項２５に記載の腹膜透析機。
【請求項２７】
前記使用済みのコンテナが前記未使用のコンテナの上に配置されるように構成されている、請求項２６に記載の腹膜透析機。
【請求項２８】
（ｉ）前記真空源で動作可能な少なくとも１つのソレノイド弁と、
（ｉｉ）前記未使用のコンテナおよび前記使用済みのコンテナのうちの少なくとも１つを計量するように構成されたロードセルと、
（ｉｉｉ）前記患者ラインおよび前記排液ラインのうちの少なくとも１つを開閉するように動作可能な弁アクチュエータと、
（ｉｖ）該患者ライン、該排液ライン、該真空源のうちの少なくとも１つの圧力を感知するように構成され配置された少なくとも１つの圧力センサと
から成る群から選択された少なくとも１つの他の構成要素を含む、請求項２０に記載の腹膜透析機。
【請求項２９】
充填バッグを含み、前記論理インプリメンタは、前記充填サイクル後に、該充填バッグから前記未使用のコンテナを補充するように構成されている、請求項２０に記載の腹膜透析機。
【請求項３０】
前記ドレインは、前記使用済みのコンテナに流体接続されている、請求項２０に記載の腹膜透析機。
【請求項３１】
前記論理インプリメンタで動作可能な計量器を含み、該計量器は、（ｉ）前記充填サイクル中に送達される未使用の透析液の量、（ｉｉ）前記排液サイクル中に戻される使用済みの透析液の量のうちの少なくとも１つを感知するように構成されている、請求項２０に記載の腹膜透析機。
【発明の詳細な説明】
【技術分野】
【０００１】
概して、本発明は、滅菌液路を備える使い捨て可能なセットを採用する薬液送達システムに関する。具体的には、本発明は、使い捨て可能なセットをベースとする透析薬液治療用のシステム、方法および装置を提供し、蠕動ポンプ、ダイアフラムポンプ、空気ポンプおよび重力を使用するものを含むがそれらに限定されない。
【背景技術】
【０００２】
多様な原因によって、ヒトの腎臓系は不全を起こし得る。腎不全は、いくつかの生理的障害を生じる。水、ミネラル、および日々の代謝負荷の排せつのバランスが不可能になり、窒素代謝の毒性最終生成物（尿、クレアチニン、尿酸等）が血液および組織中に蓄積する可能性がある。
【０００３】
腎不全および腎機能低下は、透析で治療されている。本来なら正常に機能する腎臓により除去される老廃物、毒素および過剰な水を透析により体から除去する。腎機能に代わる透析治療は、救命治療であるため、多くの人々にとって重要である。
【０００４】
血液透析（「ＨＤ」）および腹膜透析（「ＰＤ」）は、腎機能の喪失を治療するため一般に使用される２種類の透析治療である。ＨＤは、老廃物、毒素および過剰な水を患者の血液から除去する。患者は、カテーテルを介して患者の静脈および動脈に血液透析機が接続される。血液は患者から拍出され、機械に接続されたダイアライザの空洞多孔質チューブの内部を通る。機械は透析液を産生し、透析液は空洞多孔質チューブの外側に拍出される。圧力勾配により、過剰な水は血液から膜の孔を通り、透析液に引き込まれて除去される。拡散および浸透により、老廃物および毒素は孔を通って透析液に入り、除去される。清浄された血液が患者に戻される。一回の血液透析治療中に、血液を透析するために大量の透析液、例えば約１２０リットルが消費される。ＨＤは数時間続き、一般に週約３〜４回、治療センターにおいて行われる。
【０００５】
ＰＤは、カテーテルを介して患者の腹膜腔に注入される透析溶液または「透析液」を使用する。透析液は、腹膜腔の腹膜に接触する。老廃物、毒素および過剰な水は、拡散および浸透により患者の血流から腹膜を通り、透析液に入る。つまり、浸透勾配は膜全体で生じる。使用済みの透析液を患者から排出し、老廃物、毒素および過剰な水を患者から除去する。このサイクルを繰り返す。
【０００６】
持続的携帯型腹膜透析（「ＣＡＰＤ」）、自動腹膜透析（「ＡＰＤ」）、潮流ＡＰＤおよび連続流腹膜透析（「ＣＦＰＤ」）を含む多様な種類のＰＤ治療がある。ＣＡＰＤは、手動の透析治療である。患者は、埋め込まれたカテーテルをドレインに手動で接続し、使用済みの透析液を腹膜腔から排出できる。患者は、次にカテーテルを未使用の透析液のバッグに接続し、カテーテルを通じて未使用の透析液を自身に注入する。患者は、未使用の透析液バッグからカテーテルを外し、透析液を腹膜腔内に滞留させることができる。ここで、老廃物、毒素および過剰な水の移動が生じる。対のバッグセットの導入は、排液ラインおよび未使用の透析液バッグを「Ｙ字状にする」ことにより、着脱回数を削減した。それにもかかわらず、手動のＰＤは、膨大な時間と患者の努力を必要とし、改善の余地が多く残る。滞留期間の後、患者は、手動の透析手順を繰り返す。例えば、１回約１時間の治療を１日に４回繰り返す。
【０００７】
ＡＰＤは、透析治療が排液、充填、および滞留サイクルを含む点においてＣＡＰＤと類似している。しかしＡＰＤ機械は、通常、患者が眠っている間に自動でサイクルを行う。ＡＰＤ機械の場合、患者は手動で治療サイクルを行う必要がなく、昼間にサプライを輸送する必要がない。ＡＰＤ機械は、埋め込まれたカテーテル、未使用の透析液源またはバッグ、および液体ドレインと流体連通する。ＡＰＤ機械は、未使用の透析液を透析液源からカテーテルを通じて患者の腹膜腔に拍出し、透析液を腔内に滞留させ、老廃物、毒素および過剰な水の移動を生じさせることができる。源は、複数の滅菌透析液バッグであってもよい。
【０００８】
ＡＰＤ機械は、使用済みの透析液を腹膜腔からカテーテルを通じてドレインに押し出す。手動プロセスと同様に、ＡＰＤ中にいくつかの排液、充填および滞留サイクルが生じる。「最終充填」は、ＣＡＰＤおよびＡＰＤの最後に生じ、次回の治療まで患者の腹膜腔内に残る。
【０００９】
ＣＡＰＤおよびＡＰＤはいずれも、使用済みの透析液をドレインに送るバッチタイプのシステムである。潮流システムは、修正されたバッチシステムである。潮流を用いて、長い時間をかけて患者から液体をすべて除去する代わりに、液体の一部を除去し、わずかな増分時間後に置換する。
【００１０】
連続流、またはＣＦＰＤシステムは、使用済みの透析液を清浄または再生することにより、ＣＡＰＤまたは従来のＡＰＤと比較して少量の透析液を消費する。再生システムは、ループを通じて液体を患者に注入および排出する。透析液は、１つのカテーテルルーメンを通って腹膜腔に流入し、別のカテーテルルーメンから出る。患者から出る液体は、例えば炭素フィルタ、およびウレアーゼを採用して酵素的に尿素をアンモニアに変換する尿素除去カラムを介して、透析液から老廃物を除去する再構成装置を通過する。次に、アンモニアを吸着により透析液から除去した後、透析液を腹膜腔に再導入する。追加のセンサを採用し、アンモニアの除去を監視する。ＣＦＰＤシステムは、一般にバッチシステムよりも複雑である。
【００１１】
多くのＰＤシステムは、重力を使用して充填および排液する。Ｂｒａｎｄｅｓらにより開示された患者データは、充填サイクル中の流量が比較的一定であり、患者の体位（臥位流量が座位流量より多い）および供給バッグの絶対ヘッド高に関連することを示す。しかし、排液サイクルは、通常充填サイクルの２倍の長さであり、時間との真数関係がある。排液サイクルにおいて、腹膜内容量の約８０％が、総排液時間の最初の４０％以内に排出される。同様の結果は、Ａｍｉｃｉらによる患者データおよびＢａｘｔｅｒ’ｓ  ＨｏｍｅＣｈｏｉｃｅおよびＱｕａｎｔｕｍ  ＰＤ循環装置の患者実験からも得られる。
【発明の概要】
【発明が解決しようとする課題】
【００１２】
重力充填および排液の流量は、患者の腹膜までのヘッド高、カテーテルの種類（抵抗）、チューブセットの種類等含む、いくつかの物理パラメータの関数である。充填および排液の問題を克服するため、最新式のＡＰＤ機械にはポンプを使用して充填および排液するものもある。ポンプは、能動的な液体送達を提供するが、複雑性とコストが増す。したがって、異なる種類のＡＰＤシステムの望ましい側面を併せ持つ、比較的低コストのＰＤ機械を提供する必要がある。
【課題を解決するための手段】
【００１３】
重力透析液送達とポンプ式透析液送達の利点を併せ持つ腹膜透析（「ＰＤ」）システムについて以下に説明する。具体的には、好適な一実施形態において、重力を使用して患者に充填する一方、真空源またはポンプを使用して患者から排液する。真空源は、例えば、０〜−１．５ｐｓｉｇの範囲で可変であってもよい。真空源により、患者は床、排液バッグの下、またはそれ以外の重力による適切な排液流が可能でない高さで眠ることができる。
【００１４】
主要な一実施形態において、システムはスタンドを含む。ヒータプレートがスタンドの頂部に位置する。ヒータプレートは、１つ以上の供給バッグ、例えば、１つ以上の供給バッグおよび最終バッグ（次の自動治療までの間、患者の体内に残る透析液の量を保持する）を支持および加熱する。スタンドは調節可能であり、供給バッグが患者より上で適切な位置、例えば３６インチに支持されるようにする。ラインまたはチューブは、各供給バッグから弁、例えば多岐ピンチ弁に延在する。ピンチ弁は、真空源により動作される。制御装置は、真空源シーケンスを操作する。一実施形態において、制御装置は、マイクロプロセッサおよびメモリを含み、真空源を制御する。また制御装置は、排液コンテナに連結されるロードセルまたはひずみゲージから信号を受信する。これは、一般に排出された液体の容量と充填された液体の容量との差であると考えられる、限外ろ過液を監視および制御するために行う。
【００１５】
患者ラインは、多岐弁から延在する。患者ラインは、その遠位端において、患者に埋め込まれた輸送セットおよびカテーテルに接続するコネクタを含む。また排液ラインも多岐弁から延在する。排液ラインは、硬質コンテナ等の再利用可能な排液コンテナに接続される。真空ラインは、硬質コンテナから真空源に延在する。一実施形態において、真空ラインは、使用済みの液体が排液コンテナ内で上昇するレベルよりも高い位置にある。この構成において、液体は真空ラインに到達できないため、排液コンテナからの使用済みの液体が真空源に至り、真空源を損傷する可能性をなくす。またこの目的で、排液コンテナと排液ラインとの間にあるインターフェースに疎水性膜を配置してもよい。
【００１６】
本第１の実施形態において、プライミングサイクルは以下のように生じる。患者は、患者ラインの端部を、その遠位端が実質的に供給バッグと同じ高さになるように配置する。例えば、ヒータまたはそのスタンドは、患者がプライミングのための患者ラインコネクタを掛けるためのフックを含んでもよい。制御装置は、供給バッグ、患者ラインおよび排液ラインのそれぞれに対する弁を開くように真空源を制御する。制御装置をプログラム化し、一定期間または特定容量（または重量）の液体が流れるまで弁を開いたまま維持し、過剰な未使用の液体をドレインに廃棄することなく、各ラインに液体でプライムされることを保証する。
【００１７】
第１の実施形態において、排液サイクルを行い、例えば、前夜から患者の腹膜内に残留している使用済み最終バッグ容量の液体を最初に除去する。ここで制御装置は、真空源により排液弁および患者ライン弁を開き、すべての供給弁を閉じたまま維持する。また制御装置により、真空源は、排液ラインに接続される硬質排液コンテナに真空を引き寄せる。真空は、使用済みの透析液を患者の腹膜から多岐弁を通じて排液コンテナに引き込み、排液コンテナを重力により底面から上方に充填する。ロードセルおよび制御装置は、排液コンテナ内の液体の重量を測定する。時間の経過に伴う重量の変化も測定し、流量を特定する。流量をフィードバックとして使用し、排液コンテナに適用される真空の量を制御することにより、排液サイクルの流量を最適化できる。
【００１８】
一実施形態における制御装置は、１つ以上の患者プロファイルを保存する。ここで可変真空源を修正し、患者の特定の生理的特徴に合わせて流量および圧力を最適化する。例えば、患者の腹膜が比較的充填されている場合は、真空源により液体を迅速かつ比較的一定して患者から除去するようにコントローラを設定できる。使用済みの液源は比較的豊富にあり、腹膜腔から容易に流れるため、比較的低い吸引圧力を使用してこれを行ってもよい。患者の腹膜が徐々に空になり、使用済みの液源が次第に減少するにつれ、液流は減速し始める。吸引圧力を下げ、患者の腹膜腔内の陰圧により患者に痛みを与えないようにしてもよい。吸引圧力は、例えば、−１．５〜−１．２ｐｓｉｇまで下げてもよい。したがって、プロファイルを調節し、できる限り迅速、安全かつ快適に患者から排液する。
【００１９】
次に、充填サイクルは以下のように生じる。制御装置は、真空源により排液弁および最初の供給バッグ弁を除く供給バッグ（最終バッグ）弁のそれぞれを閉じる。また制御装置は、真空源により患者ライン弁を開く。重力により、液体が最初の供給バッグから患者の腹膜に押し出される。供給バッグから患者までのヘッド高が流量を決定する。外径６ｍｍｘ内径４ｍｍのチューブを通るこの充填流は、２４インチヘッド高下で２００ｍｌ／分に達し、３６インチヘッド高下で３００ｍｌ／分に達し得る。
【００２０】
その後、制御装置は、真空源により滞留期間の間すべての弁を閉じる。ここで、第１の供給の液体は患者の腹膜内に残留し、老廃物を吸収する。
【００２１】
滞留後、次の排液サイクル等が生じる。次の充填サイクルでは、異なる供給バッグを使用する。最後の充填サイクルでは、最終バッグを使用する。最終バッグは、少量または大量の透析液を含んでもよく、次の治療セッションまで患者の腹膜内に滞留することが意図される。一実施形態において、各充填および最終バッグは、独自の専用制御弁を有する。
【００２２】
第２の主要実施形態において、再度重力を使用して患者に充填し、真空を使用して患者から排液する。ここでシステムは、ナイトスタンド上、例えば患者より上、例えば患者から１５〜４０インチ上に配置される機械または制御装置を含む。ユニットの上部は、ロードセルおよびヒータパンを含む。デュアルチャンババッグは、ロードセル／ヒータパン上に配置される。ヒータパンの直上にある下側チャンバは、加熱コンテナまたは加温パウチであり、未使用の液体を供給バッグから受容する。上側チャンバは、一時的排液コンテナであり、真空源により患者の腹膜から拍出された使用済みの液体を受容する。デュアルチャンババッグの上側の一時的排液コンテナは、デュアルチャンババッグより下の高さにある屋内排水または最終排液コンテナと流体連通する。使用済みの液体は、デュアルチャンババッグから屋内排水に重力送液される。
【００２３】
真空気密カバーは、デュアルチャンババッグの上に配置される。適切なガスケットおよびロック機構を提供し、カバーが装置に密閉され、ロードセルおよびヒータパンの周囲を密閉できるようにする。このようにして、真空をカバーの内側およびカバーの下にあるデュアルチャンババッグの外側に引き込んでもよい。カバーは、１つ以上の供給バッグ（最終バッグを含む）を支持するように構成される。
【００２４】
デュアルチャンババッグは、一実施形態において弁部分を含む。例えば、未使用および使用済みのコンテナを形成するために使用される同一シートまたは層を使用し、弁チャンバおよび弁部分の液路を形成してもよい。または、同一シートまたは層を硬質のパスおよび弁形成部材と併用し、弁部分を形成してもよい。別の実施形態において、デュアルチャンババッグは、別個の弁カセットと流体連通する。いずれの場合においても、弁部分または弁カセットは、制御装置の弁作動部分で動作可能である。一実施形態における弁アクチュエータは、バネ作動で閉じ、（バネに逆らって）真空作動で開く。この構成において、電力損失または真空源が故障した際に、弁はフェイルセーフ様式で閉じる。
【００２５】
本第２の実施形態において、プライミングサイクルは以下のように生じる。患者は、患者ラインの端部を、その遠位端が真空気密カバーの上部にある１つ以上の供給バッグと実質的に同じ高さになるように配置する。例えば、カバーは、患者がプライミングのための患者ラインコネクタを掛けるためのフックを含んでもよい。制御装置は、真空源を制御し、デュアルチャンババッグの未使用のコンテナに対する弁および患者ラインに対する弁が開くようにする。制御装置をプログラム化し、一定期間または特定容量の液体が流れるまで弁を開いたまま維持し、未使用のコンテナおよび患者ラインに液体でプライムされることを保証する。デュアルチャンババッグの重量を測定および記録する。
【００２６】
次に、前夜から残る患者の最終バッグ充填からの排液が生じる一方、プライムによるデュアルチャンババッグの未使用のコンテナにおける充填容量を加熱する。ここで制御装置は、真空源により（ｉ）複数の弁を開き、使用済みの液体が患者からデュアルチャンババッグの使用済みコンテナに流れるようにする（計量用）、また（ｉｉ）例えば、真空気密カバーの下、−１．５ｐｓｉｇで、デュアルチャンババッグの一時的使用済みコンテナと患者との間のヘッド高差に逆らって、最終バッグの使用済みの液体を患者から引き抜く。患者から引き抜かれた液体の容量を計量および記録する。
【００２７】
未使用の液体が望ましい温度に加熱され、使用済み最終バッグの液体がすべて患者から抜かれると、計量器および制御装置は、デュアルチャンババッグ内にある液体の総合重量を記録する。次に、充填サイクルが始まり、加熱された未使用の液体が患者に重力送液される。ここで制御装置は、真空源により１つ以上の弁を開き、加熱された液体をデュアルチャンババッグの未使用のコンテナから患者の腹膜に重力送液できるようにする。
【００２８】
デュアルチャンババッグの未使用のコンテナから患者へのラインは、バッグの底面に位置し、加熱された液体からの空気が、未使用のコンテナの上部まで上昇し、加熱された未使用の液体のみが未使用のコンテナから患者に流れるようにする。代替実施形態において、未使用のコンテナと連通する統合空気分離チャンバが提供され、加熱された液体からの空気を収集する。液体が加熱された供給バッグを出る際に、計量器またはロードセルは、患者に送達された液体の量を計量および記録する。これは、前述の二重充填の総合重量からのデュアルチャンババッグにおける重量の損失と見なされる。プログラム化された容量の液体が患者に送達されるか、または計量器が重量の減少を感知しなくなると、充填サイクルにおける患者充填部分が完了し、１つ以上の弁が閉じて、デュアルチャンババッグに残留する重量が計量器および制御装置により記録される。制御装置は、排液および充填サイクルの両方に関して、計量前後の重量を差し引くことにより、排液および充填容量を計算する。
【００２９】
充填サイクルにおける患者への充填部分が完了した後に、制御装置は、真空源により少なくとも患者弁および排液弁を滞留期間の間閉じる。ここで、第１の供給の液体が患者の腹膜内に残留し、拡散および浸透により老廃物を吸収できる。滞留期間中に、制御装置は、真空源により１つ以上の弁を開き、同一または異なるデキストロース供給バッグからの液体をデュアルチャンババッグの未使用のコンテナに補充し、次の患者への充填サイクル用に事前加熱できるようにする。重量の増加を再度記録する。まだ起こっていなければ、制御装置は真空源により、１つ以上の弁を開き、最初の使用済み最終バッグの液体をデュアルチャンババッグの一時的排液チャンバから最終排液コンテナまたは屋内排水に重力送液できるようにもする。
【００３０】
滞留後に、次の排液サイクルが生じる。ここで、真空源により使用済みの液体が患者からヘッド高差に逆らってデュアルチャンババッグの一時的使用済みコンテナに引き抜かれる。一時的使用済みコンテナに到達する液体による重量の増分獲得を記録する。第１の充填の使用済みの液体が患者から拍出されるとすぐに、新しく加熱された未使用の液体をデュアルチャンババッグの未使用のコンテナから患者に重力送液してもよい。重量の増分損失を第２の充填容量として記録する。供給バッグが処方された充填容量を含む場合は、記録および処方された容量は互いをダブルチェックする働きをする。
【００３１】
次に、第２の滞留期間が始まり、上述のプロセスを繰り返す。最終バッグ容量の未使用の透析液が徐々に患者に送達され、翌日または翌晩に次の治療が開始されるまで、患者の体内に滞留できる。
【００３２】
主要な実施形態を実施し、完全な充填、滞留および排液サイクルを行うか、または例えば潮汐モードタイプの様式で、同様のサイクルを部分的に行ってもよい。最後に、患者から除去された液体の量と患者に送達された液体の量との差を計算し、その差は限外ろ過液またはＵＦを表す。治療の最後に、患者が自身の「乾燥重量」に至るようにＵＦ治療処方を設定する。２４時間ＵＦ計算は、前夜からの最終バッグの容量を使用するため、２回の治療の充填および排液を含む。
【００３３】
したがって、本明細書に記載する実施形態の利点は、改良された透析システムを提供することである。
【００３４】
本明細書に記載する実施形態の別の利点は、床または最も低くは地面で眠る患者に重力充填透析システムを提供することである。
【００３５】
本明細書に記載する実施形態のさらなる利点は、簡易空気力学および／または水力学を採用する重力充填透析システムを提供することである。
【００３６】
本明細書に記載する実施形態のさらに別の利点は、簡易化した使い捨て可能なセットまたは装置を採用する重力充填透析システムを提供することである。
【００３７】
本明細書に記載する実施形態のさらなる利点は、異なる治療方法に適合できる重力充填透析システムを提供することである。
【００３８】
本明細書に記載する実施形態のさらに別の利点は、比較的患者に優しい重力充填透析システムを提供することである。
【００３９】
本明細書に記載する実施形態のさらに別の利点は、最大流量を実現し、最大滞留時間およびクリアランスを可能にする重力充填透析システムを提供することである。
【００４０】
さらに、本明細書に記載する実施形態の利点は、重力充填、真空排液透析システムを提供することである。
【００４１】
本発明の追加の特徴および利点は、以下の発明を実施するための最良の形態および図面に記載され、それらから明らかになるであろう。
本発明はさらに、例えば、以下を提供する。
（項目１）
供給バッグと、
該供給バッグを支持するように構成された装置であって、該供給バッグは患者の腹膜腔より上に位置する、装置と、
真空源と、
該患者に接続されるように構成された患者ラインと、
ドレインに接続されるように構成された排液ラインと、
（ｉ）充填サイクル中に、未使用の透析液を該供給バッグから該患者ラインを通じて該腹膜腔に重力送液すること、および（ｉｉ）排液サイクル中に、該真空源により使用済みの透析液が該腹膜腔から該排液ラインを通じて該ドレインに抜けることを可能にするように構成された論理インプリメンタと
を備える、腹膜透析機。
（項目２）
前記未使用の透析液を前記供給バッグ中で加熱するように構成および配置されたヒータを含む、項目１に記載の腹膜透析機。
（項目３）
前記論理インプリメンタは、（ｉ）プライムサイクル中に、未使用の透析液を前記供給バッグから前記患者ラインの遠位端に重力送液すること、（ｉｉ）滞留サイクル中に、透析液を前記腹膜内に一定期間維持すること、および（ｉｉｉ）前記充填および排液サイクルを少なくとも１回繰り返すことのうちの少なくとも１つを可能にするようにさらに構成される、項目１に記載の腹膜透析機。
（項目４）
前記論理インプリメンタは、（ｉ）前記患者ラインを開閉するように動作可能な患者ライン弁、および（ｉｉ）前記排液ラインを開閉するように動作可能な排液ライン弁のうちの少なくとも１つを制御するように構成される、項目１に記載の腹膜透析機。
（項目５）
前記弁のうちの少なくとも１つは、前記真空源により動作される、項目４に記載の腹膜透析機。
（項目６）
前記真空源を収容するエンクロージャを含み、該エンクロージャは、前記論理インプリメンタで動作可能なユーザ−マシンインターフェースを提供する、項目１に記載の腹膜透析機。
（項目７）
前記供給バッグ支持装置は、（ｉ）前記エンクロージャも支持するスタンドを含むか、（ｉｉ）該エンクロージャの頂部であるか、または（ｉｉｉ）該エンクロージャから離間したヒータを支持するように構成される、項目６に記載の腹膜透析機。
（項目８）
（ｉ）前記真空源で動作可能な少なくとも１つのソレノイド弁と、
（ｉｉ）前記供給バッグおよび前記排液バッグのうちの少なくとも１つを計量するように構成されたロードセルと、
（ｉｉｉ）前記患者ラインおよび前記排液ラインのうちの少なくとも１つと流体連通する使い捨て可能なカセットと、
（ｉｖ）該患者ラインおよび該排液ラインのうちの少なくとも１つを開閉するように動作可能な弁アクチュエータと、
（ｖ）該患者ライン、該排液ラインおよび該真空源のうちの少なくとも１つの圧力を感知するように構成および配置された少なくとも１つの圧力センサと
を含む群から選択された少なくとも１つの他の構成要素を含む、項目１に記載の腹膜透析機。
（項目９）
前記ドレインは、（ｉ）再利用可能なコンテナまたは（ｉｉ）使い捨て可能なバッグを含む、項目１に記載の腹膜透析機。
（項目１０）
前記真空源は、前記ドレインと空気連通し、前記論理インプリメンタは、該真空源が該ドレインに陰圧を印加することにより、前記排液サイクル中に、前記使用済みの透析液が前記腹膜腔から抜けるように構成される、項目１に記載の腹膜透析機。
（項目１１）
前記真空源は、前記ドレインを囲むチャンバと空気連通し、前記論理インプリメンタは、該真空源が該チャンバに陰圧を印加することにより、前記排液サイクル中に、前記使用済みの透析液が前記腹膜腔から抜けるように構成される、項目１に記載の腹膜透析機。
（項目１２）
前記患者ラインを通じて前記腹膜腔に未使用の透析液を重力送液するように構成された複数の供給バッグを含む、項目１に記載の腹膜透析機。
（項目１３）
充填バッグを含み、前記論理インプリメンタは、前記充填サイクル後に、該充填バッグから前記供給バッグを補充するように構成される、項目１に記載の腹膜透析機。
（項目１４）
前記論理インプリメンタは、前記排液サイクル中に、前記真空源を制御し、透析液を前記腹膜腔から異なる流速で除去できるように構成される、項目１に記載の腹膜透析機。
（項目１５）
供給バッグと、
該供給バッグを支持するように構成された装置であって、該供給バッグは患者の腹膜腔より上に位置する、装置と、
該患者に接続されるように構成された患者ラインと、
ドレインに接続されるように構成された排液ラインと、
該ドレインと空気連通する真空源と、
（ｉ）充填サイクル中に、未使用の透析液を該供給バッグから該腹膜腔に重力送液すること、および（ｉｉ）排液サイクル中に、該真空源が該ドレインに陰圧を印加することにより、使用済みの透析液が該腹膜腔から該排液ラインを通じて該ドレインに抜けることを可能にするように構成された論理インプリメンタと
を備える、腹膜透析機。
（項目１６）
前記論理インプリメンタは、（ｉ）プライムサイクル中に、未使用の透析液を前記供給バッグから前記患者ラインの遠位端に重力送液すること、（ｉｉ）滞留サイクル中に、透析液を前記腹膜内に一定期間維持すること、および（ｉｉｉ）前記充填および排液サイクルを少なくとも１回繰り返すことのうちの少なくとも１つを可能にするようにさらに構成される、項目１５に記載の腹膜透析機。
（項目１７）
前記論理インプリメンタは、（ｉ）前記患者ラインを開閉するように動作可能な患者ライン弁、および（ｉｉ）前記排液ラインを開閉するように動作可能な排液ライン弁のうちの少なくとも１つを制御するように構成される、項目１５に記載の腹膜透析機。
（項目１８）
前記供給バッグ支持装置は、（ｉ）前記真空源および前記論理インプリメンタのうちの少なくとも１つを収容するエンクロージャ、および（ｉｉ）前記供給バッグを加熱するように構成および配置されたヒータのうちの少なくとも１つをさらに支持する、項目１５に記載の腹膜透析機。
（項目１９）
（ｉ）前記真空源で動作可能な少なくとも１つのソレノイド弁と、
（ｉｉ）前記ドレインを計量するように構成されたロードセルと、
（ｉｉｉ）前記患者ラインおよび前記排液ラインのうちの少なくとも１つと流体連通する多岐弁と、
（ｉｖ）該患者ライン、該排液ラインおよび該真空源のうちの少なくとも１つの圧力を感知するように構成および配置された少なくとも１つの圧力センサと
を含む群から選択された少なくとも１つの他の構成要素を含む、項目１５に記載の腹膜透析機。
（項目２０）
前記ドレインは、（ｉ）印加された陰圧に耐えるように構成された密閉構造、および（ｉｉ）透析液ではなく空気を該ドレインから前記真空ラインに流すことができるフィルタのうちの少なくとも１つを含む、項目１５に記載の腹膜透析機。
（項目２１）
前記患者ラインを通じて前記腹膜腔に未使用の透析液を重力送液するように構成された複数の供給バッグを含む、項目１５に記載の腹膜透析機。
（項目２２）
前記論理インプリメンタは、前記排液サイクル中に、前記真空源を制御し、透析液を異なる流速で前記腹膜腔から除去できるように構成される、項目１５に記載の腹膜透析機。
（項目２３）
未使用の透析液コンテナと、
該未使用のコンテナを支持するように構成された装置であって、該未使用のコンテナは患者の腹膜腔より上に位置する、装置と、
該患者に接続されるように構成された患者ラインと、
使用済みの透析液コンテナと、
該使用済みコンテナを囲むチャンバと空気連通する真空源と、
（ｉ）充填サイクル中に、未使用の透析液を該未使用のコンテナから該患者ラインを通じて該腹膜腔に重力送液すること、および（ｉｉ）排液サイクル中に、該真空源が該チャンバに陰圧を印加し、使用済みの透析液が該腹膜腔から該使用済みコンテナに抜けることを可能にするように構成された論理インプリメンタと
を備える、腹膜透析機。
（項目２４）
前記論理インプリメンタは、（ｉ）プライムサイクル中に、未使用の透析液を前記未使用のコンテナから前記患者ラインの遠位端に重力送液すること、（ｉｉ）滞留サイクル中に、透析液を前記腹膜内に一定期間維持すること、および（ｉｉｉ）前記充填および排液サイクルを少なくとも１回繰り返すことのうちの少なくとも１つを可能にするようにさらに構成される、項目２３に記載の腹膜透析機。
（項目２５）
前記未使用および使用済みのコンテナは、患者ライン弁座および排液ライン弁座のうちの少なくとも１つを有する使い捨て可能な弁部分に流体連結される、項目２３に記載の腹膜透析機。
（項目２６）
前記未使用および使用済みのコンテナは、前記チャンバより下に収容されたデュアルチャンババッグの一部として構成される、項目２３に記載の腹膜透析機。
（項目２７）
前記未使用および使用済みのコンテナは、別個の供給バッグおよび排液バッグとして構成される、項目２３に記載の腹膜透析機。
（項目２８）
前記支持装置は、前記論理インプリメンタに動作可能に接続されたヒータパンおよびロードセルのうちの少なくとも１つを含む、項目２３に記載の腹膜透析機。
（項目２９）
前記未使用のコンテナが前記ヒータパン上に配置されるように構成される、項目２８に記載の腹膜透析機。
（項目３０）
前記使用済みコンテナが前記未使用のコンテナの上に配置されるように構成される、項目２９に記載の腹膜透析機。
（項目３１）
（ｉ）前記真空源で動作可能な少なくとも１つのソレノイド弁と、
（ｉｉ）前記未使用のコンテナおよび前記使用済みのコンテナのうちの少なくとも１つを計量するように構成されたロードセルと、
（ｉｉｉ）前記患者ラインおよび前記排液ラインのうちの少なくとも１つを開閉するように動作可能な弁アクチュエータと、
（ｉｖ）該患者ライン、該排液ライン、および該真空源のうちの少なくとも１つの圧力を感知するように構成および配置された少なくとも１つの圧力センサと
を含む群から選択された少なくとも１つの他の構成要素を含む、項目２３に記載の腹膜透析機。
（項目３２）
充填バッグを含み、前記論理インプリメンタは、前記充填サイクル後に、該充填バッグから前記未使用のコンテナを補充するように構成される、項目２３に記載の腹膜透析機。
（項目３３）
前記使用済みコンテナに流体接続されるドレインを含む、項目２３に記載の腹膜透析機。
（項目３４）
前記論理インプリメンタで動作可能な計量器を含み、該計量器は、（ｉ）前記充填サイクル中に送達される未使用の透析液の量、および（ｉｉ）前記排液サイクル中に戻される使用済みの透析液の量のうちの少なくとも１つを感知するように構成される、項目２３に記載の腹膜透析機。
【図面の簡単な説明】
【００４２】
【図１】図１は、重力および真空により駆動される自動腹膜透析システムの一主要実施形態の斜視図である。
【図２】図２は、図１に示されるシステムの使い捨て可能な部分、弁、真空ライン、電気ライン、制御装置および制御スキームの一実施形態の概略図である。
【図３】図３は、図１に示されるシステムのヒータおよび関連スタンドの一実施形態の斜視図である。
【図４】図４は、重力および真空により駆動される自動腹膜透析システムと併用されるマルチチューブ弁アクチュエータの一実施形態の斜視図である。
【図５】図５は、２人の患者に関して排出された液体の容量を排液サイクルの時間と対比して示す図である。
【図６】図６は、重力および真空により駆動される自動腹膜透析システムの第２主要実施形態の立面図である。
【図７Ａ】図７Ａは、統合ヒータおよびロードセルを備える図６のシステムの制御装置の一実施形態の正面立面図である。ここでシステムの真空気密カバーは除去されている。
【図７Ｂ】図７Ｂは、統合ヒータおよびロードセルを備える図６のシステムの制御装置の一実施形態の平面図である。ここでシステムの真空気密カバーは除去されている。
【図８Ａ】図８Ａは、真空気密カバーを適所に備えて示される図７Ａの装置の正面立面図である。
【図８Ｂ】図８Ｂは、真空気密カバーを適所に備えて示される図７Ｂの装置の平面図である。
【図９】図９は、図６に示されるシステムの弁部分および関連チューブを含む、使い捨て可能な重量／供給バッグの一実施形態の上面図である。
【図１０】図１０は、図９の使い捨て可能な重量／供給バッグ、弁およびチューブの側面図である。
【図１１】図１１は、図６のシステムの第２主要実施形態の一機械構成を説明する。
【図１２】図１２は、図６のシステムの第２主要実施形態の一機械構成を説明する。
【図１３】図１３は、図６のシステムの第２主要実施形態の一機械構成を説明する。
【図１４】図１４は、図６のシステムの第２主要実施形態の一機械構成を説明する。
【図１５】図１５は、第２主要実施形態と併用できる使い捨て可能なセットを説明する。
【図１６】図１６は、第２主要実施形態の代替配置のセットアップシーケンスにおけるステージを説明する。
【図１７】図１７は、第２主要実施形態の代替配置のセットアップシーケンスにおけるステージを説明する。
【図１８】図１８は、第２主要実施形態の代替配置のセットアップシーケンスにおけるステージを説明する。
【図１９】図１９は、第２主要実施形態の代替配置のセットアップシーケンスにおけるステージを説明する。
【発明を実施するための形態】
【００４３】
ここで図１〜３を参照し、自動腹膜透析（「ＡＰＤ」）システムの第１主要実施形態をシステム１０により説明する。システム１０は、実施形態において、比較的強く、軽量かつ低コストの金属または硬質プラスチックで形成される調節可能なスタンド１２を含む。スタンド１２は、例えば、アルミニウム、スチールまたは金属とプラスチックの任意の組み合わせであってもよい。調節可能なスタンド１２は、内側チューブまたはステム１４を含む。内側チューブまたはステム１４は、外側チューブ１６内をスライドするサイズである。患者または介護者は、外側チューブ１６に対して内側チューブ１４を上下に移動させて望ましい位置に移動することにより、スタンド１２の全高を設定する。その後、患者または介護者は、適切なロック機構１８により、外側チューブ１６に対して内側チューブを適所にロックする。外側チューブ１６は、脚２０のセットに締め付けられ、溶接され、または一体形成され、脚２０のセットは、チューブ１４および１６ならびにそこに接続される装置を保持し、平衡を保つ。キャスタまたはホイール２２は、脚２０の端部に連結され、システム１０を容易に操作できるようにする。１つ以上のキャスタ２２は、システム１０を望ましい位置にロックするためのロック機構を有してもよい。
【００４４】
図３において詳細に見られるように、内側チューブ１４は、薬液ヒータ３０に接続され、それを支持する。薬液ヒータ３０は、１つ以上の薬液供給バッグ内の液体の加熱に適切な任意の熱伝達モードを使用してもよく、例えば、抵抗プレート加熱、放射加熱、対流加熱、およびそれらの任意の適切な組み合わせを含む。例示的実施形態におけるヒータ３０は、ふた３２および基部３４を有するクラムシェル構造を含む。実施形態において、ヒータ要素および関連する加熱は、基部３４内に位置する。代替として、要素または加熱パッドは、ふた３２内に位置する。さらなる代替として、加熱要素またはパッドは、ふた３２および基部３４の両方に位置する。
【００４５】
例示的実施形態において、ヒータ３０は、一対の供給バッグ２４ａおよび２４ｂを保持するサイズおよび構成であり、第１の供給バッグ２４ａが第２の供給バッグ２４ｂの上に位置するようにする。代替として、単一の供給バッグを提供する。さらなる代替として、３つ以上の供給バッグ２４（供給バッグ２４ａ、２４ｂ等を集合的に意味する）を提供する。供給バッグ２４の１つは、治療の最後に、次回の治療まで患者の腹膜に残留する最終バッグ容量の液体を保持する最終バッグであってもよい。ヒータ３０は、代替として横に並んだ２つの供給バッグと、２つの下のバッグの上かつそれらの間に配置される任意の第３のバッグを保持してもよい。
【００４６】
図示されるように、基部３４は、１つ以上の開口および／またはノッチ３６を画定する。開口３６により、供給チューブ２６ａおよび２６ｂは、供給バッグ２４ａおよび２４ｂからそれぞれ延在することができる一方、ふた３２および基部３４はともに、バッグ２４ａおよび２４ｂの周囲をしっかりと閉合できる。この構成は、チューブ２６ａおよび２６ｂがひだになるのを防止することを助ける。
【００４７】
図２に見られるように、供給バッグ２４ａおよび２４ｂは、温度検知装置３８を密閉様式で受容するように構成された１つ以上のポート２８を含むか、または画定してもよい。温度検知装置３８は、サーミスタ、熱電対または抵抗温度装置（「ＲＴＤ」）センサ等の任意の適切な装置であってもよい。例示的実施形態において、温度検知装置３８は、加熱された透析液の温度を直接測定する。つまり、温度検知装置３８は、実際に透析液に接触する。代替実施形態において、温度検知装置３８は、例えばふた３２および基部３４の１つ以上の内面上に位置し、代わりにバッグ材料に接触する。ここでバッグ材料の温度は、時間とともに透析液の温度に達すると仮定される。代替として、バッグと透析液の温度にわずかな差が常に存在する場合は、その差を判断して補正する。
【００４８】
図１は、外側チューブ１６が制御装置４０を支持することを示す。制御装置４０は、液晶ディスプレイ（「ＬＣＤ」）またはその他の適切な種類のディスプレイ等のビデオモニタ４２を含む。実施形態におけるビデオモニタ４２は、タッチスクリーンオーバーレイ（図示せず）で動作し、オペレータがコマンドを制御装置４０に入力できるようにする。代替として、制御装置４０は、オフスクリーン入力装置４４を含む。これは、膜スイッチ、ノブ、プッシュボタンまたはその他の種類の電気機械的入力装置であってもよい。
【００４９】
図２に見られるように、ビデオモニタ４２および入力装置４４は、１つ以上のプリント基板４６により接続および制御され、プリント基板４６は、数ある構成要素の中で、ランダムアクセスメモリ（「ＲＡＭ」）、読み取り専用メモリ（「ＲＯＭ」）４６ｂ、マイクロプロセッサ４６ｃおよび電源４６ｄを含む。コードおよびデータは、当該技術分野において知られているように、ＲＯＭ４６ｂおよびＲＡＭ４６ａ上に保存される。プロセッサ４６ｃは、ＲＡＭ４６ａおよびＲＯＭ４６ｂと協働し、例えば、ヒータ３０の制御、限外ろ過液除去の制御、および電気ソレノイド４８ａ〜４８ｅを介したシステム１０の弁の制御等のシステム１０の各機能を制御する。代替または追加として、制御装置４０は、特定用途向け回路（「ＡＳＩＣ」）、半導体継電器、ＭＯＳＦＥＴ等を使用し、それらの機能を制御する。電源４６ｄは、必要な電力（量および種類）をソレノイド４８ａ〜４８ｅおよびヒータ３０に提供する。システム１０が異なる種類または範囲の電力を必要とする構成要素を含む程度まで、電源４６ｄ等の電源を複数提供してもよい。
【００５０】
ソレノイド４８ａ〜４８ｄは、それぞれ真空ライン６６ａ〜６６ｅを介し、多岐弁アセンブリ５０の弁５２ａ〜５２ｄをそれぞれ制御する。実施形態における弁アセンブリ５０は、弁５２（弁５２ａ〜５２ｄを集合的に意味する）のチャンバを画定または提供するハウジング５４を含む。ハウジング５４は、必要に応じてプラスチックまたは金属で形成されてもよい。弁アセンブリ５０は、制御装置４０のハウジングに取り付けられる、または統合されてもよい。
【００５１】
図４は、多岐弁アセンブリ５０の適切な一構成を説明する。ここで弁アセンブリ５０は、制御装置１１０の扉に統合される特注製造のアセンブリであり、チューブセット（図１５）を治療用に装填できる。弁アセンブリ５０は、６つのピンチ弁５２ａ〜５２ｄを提供する（図２では４つのみが使用される）。バネ７２は、弁頭を押してチューブを締めて閉じる。真空を適用し、バネ７６を圧縮して液路を開く。図４において、ソレノイド４８ａ〜４８ｆは、多岐弁アセンブリ５０とともに載置される。ソレノイド４８ａ〜４８ｆは、図２に関連して以下に記述されるように動作する。
【００５２】
図２において、多岐弁アセンブリ５０は、供給ライン２６ａおよび２６ｂ、患者ライン５６（患者に連結されるポートに接続され、患者ポートは、患者の体内で患者の腹膜腔まで延在するカテーテルと流体連通する）で直接動作する。第４の排液ライン５８は、弁アセンブリ５０内の多岐接続部から排液コンテナ６０に走行する。
【００５３】
排液コンテナ６０は、排液ライン５８に連結される使用済みの液体入口６２ａを含む。また排液コンテナ６０は、第５の真空ライン６６ｅに連結される使用済みの液体出口６２ｂも含む。疎水性膜６４が、一実施形態において、排液コンテナ６０の出口６２ｂ内に配置され、使用済みの液体が真空ライン６６ｅに入るのを防ぐ。また図２に見られるように、排液コンテナ６０の入口６２ａおよび出口６２ｂは、排液コンテナ６０の上部に高い位置で配置され、入口６２ａに入る使用済みの液体が重力により排液コンテナ６０の底面に落下し、排液コンテナを上方に充填する傾向がある。したがって、排液コンテナ６０自体の構成は、使用済みの透析液が真空ライン６６ｅに入るのを防ぐ傾向がある。
【００５４】
真空源７０は、真空マニホールド７２を介し、ソレノイド４８ａ〜４８ｅの入口端に接続される。真空源７０およびマニホールド７２は、真空源７０に電源が投入されている間、ソレノイド４８ａ〜４８ｅの入口端で陰圧を維持するように構成される。一実施形態における真空源７０は、真空レギュレータおよび真空ポンプを含み、それらを総合して多様な真空出力を提供し、０ｐｓｉｇ〜最大−１．５ｐｓｉｇおよびそれ以上の陰圧を弁５２ａ〜５２ｄおよび排液コンテナ６０に供給できる。真空源７０に適切な真空レギュレータの１つは、ＳＭＣ  Ｃｏｒｐｏｒａｔｉｏｎ  ｏｆ  Ａｍｅｒｉｃａ（Ｉｎｄｉａｎａｐｏｌｉｓ，Ｉｎｄｉａｎａ）により提供されるＩＴＶ２０９モデル電子真空レギュレータである。レギュレータは、一実施形態において、真空ポンプの上流に配置される。
【００５５】
図２で例示される実施形態において、弁５２ａ〜５２ｄは、バネ負荷のフェイルセーフ弁である。弁５２ａ〜５２ｄは、それぞれプランジャ７４を含む。プランジャは、バネ７６を介して圧縮され、患者ライン５６、排液ライン５８、供給ライン２６ａおよび供給ライン２６ｂをそれぞれ締め、または閉じる。それらのラインのうちの１つ以上を開くには、真空または陰圧を弁源７０、マニホールド７２、１つ以上の電気動作ソレノイド４８ａ〜４８ｅの開口、および適切な真空ライン６６ａ〜６６ｄに適用する。弁５２ａ〜５２ｄは、電力または真空を喪失した場合に、バネ７６により各プランジャ７４がそれぞれのチューブまたはラインを閉じ、未使用または使用済みの透析液がそれ以上流れないようにするため、フェイルセーフであると言われている。
【００５６】
ＰＣＢ４６は、実施形態において、それぞれ電気ライン７８ａ〜７８ｅを介してオン／オフ電気信号をソレノイドに送ることにより、電気動作ソレノイド４８ａ〜４８ｅを制御する。コントローラまたはＰＣＢ４６上に保存されるプログラムにより、電気信号が１つ以上のソレノイド弁４８ａ〜４８ｅを適切な時間に開き、望ましい真空流路を確立し、および／または排液コンテナ６０上に真空を引き込む。
【００５７】
図１および２に見られるように、排液コンテナ６０は、スケール８０により支持される。スケール８０は、ロードセルまたはひずみゲージ８４を介し、機械グラウンド８２に順に接続される。ロードセルまたはひずみゲージ８４は、信号ライン８６ａを経由して信号をコントローラまたはＰＣＢ４６に送信する。ひずみゲージ８４からの信号は、例えば、可変４〜２０ミリアンプまたは０〜１０ＶＤＣ信号であってもよく、真空により排液コンテナ６０に引き込まれた使用済み液体の量に応じて異なる。ひずみゲージが衝突すると、符号付きの不正重量が一時的に生じる。コントローラまたはＰＣＢ４６は、これらの異常に対応するそのソフトウェアに平均化ルーチンを含んでもよい。加速度計をロードセルに取り付け、ロードセルが衝突した場合にコントローラが認識するようにしてもよい。次に、異常な読み取り値を平均化ルーチンから除外する。また同様の可変信号を、温度測定装置３８からそれぞれライン８６ｂおよび８６ｃに沿って、コントローラまたはＰＣＢ４６に送信する。またコントローラ４６は、入力信号ライン８６ｄを経由し、手動で動作する入力装置４４から入力（例えば、オン／オフ）を受信する。
【００５８】
出力端上で、ソレノイド４８ａ〜４８ｅのそれぞれに対する出力ライン７８ａ〜７８ｅ（例えば、オン／オフ）に加え、コントローラ４６は、可変信号を介し、出力ライン８８ａに沿って可変真空源７０を制御する。コントローラ４６は、可変信号を介し、出力ライン８８ｂに沿ってヒータ３０に対する出力をさらに制御する。別の実施形態において、ヒータ３０への出力は、オン／オフタイプの出力であり、ヒータ３０のデューティサイクルを制御する周波数が異なる。
【００５９】
システム１０の制御装置４０は、患者の腹膜腔から液体を除去する速度を最適化するように構成される。ここで、排液コンテナ６０内の液体の重量が時間とともに変化する割合は、ひずみゲージ８２により信号ライン８６ａに沿ってコントローラ４６に送信される信号の差を対応する時間の差で割ることにより決定する。この割合をコントローラ４６に保存される最適な割合と比較してもよい。次に、コントローラ４６から可変出力ライン８８ａに沿って可変真空源７０に送信される信号を調節し、真空ライン６６ｅに沿って排液コンテナ６０に供給される真空の量を調節する。真空を調節し、ひずみゲージ８４により測定された限外ろ過液重量の実際の変化率が、最適な排液または限外ろ過液除去率と一致するようにする。
【００６０】
動作中に、システム１０は、最初にプライミングサイクルを実行する。ここで患者ライン５６の遠位端９０は、供給バッグ２４ａおよび２４ｂと少なくとも実質的に同一の高度レベルで固定される。図３は、それを行うための一実施形態を示す。クリップまたはラッチ９２がヒータ３０の基部３４に固定され、患者ライン５６の端部９０を供給バッグ２４ａおよび２４ｂの高さと実質的に同じ高さに保持するように構成される。患者が患者ライン５６を上記のように固定した後、患者は入力４４を押す。制御装置４０が弁５２ａ〜５２ｄをそれぞれ適切なときに開かせることにより、未使用の透析液が供給ライン２６ａおよび２６ｂ、患者ライン５６および排液ライン５８のそれぞれを通じて流れ、それらのラインから空気を流し出すようにする。
【００６１】
患者ライン５６を通る液流は重力により駆動されるため、透析液は、供給バッグ２４ａおよび２４ｂと同じ高さに配置された端部９０より上を流れない。プライムサイクルは、一実施形態において、制御装置４０のコントローラ４６により、事前設定した期間または代替として事前設定した量の液体がチューブを通って流れたことが感知されるまで、弁５２ａ〜５２ｄが開かれ、その後、すべての弁が閉じるように構成できる。弁アセンブリ５０におけるラインを閉鎖することにより、流体カラムの重量のために、ラインの遠位開口端、例えば排液ライン５８の排液コンテナ６０の入口６２ａから液体が流出することを防ぐ。ラインに使用されるチューブの内径が小さいため、空気が上昇してチューブに入り、流体カラムの重量により形成された真空を逃がすことを妨げる。さらに、閉じられた弁アセンブリは液漏れを防ぐ。
【００６２】
プライムの後、一連の動作において、システム１０は、初期排液シーケンスを行う。ここで、以前の治療から残留する使用済み透析液を最初に患者の腹膜腔から除去する。これを行うため、患者は、プライムされた患者ライン５６の端部９０をヒータ３０のクリップ９２から取り外す。患者は、当該技術分野において知られるように、患者に縫い込まれたポートに端部９０を接続する。次に、患者は、治療を開始できることを示す入力４４を押す。初期排液の場合、制御装置４０のコントローラ４６により、ソレノイド４８ａおよび４８ｂを開く。対応する真空は、真空ライン６６ａおよび６６ｂを経由して、弁５２ａおよび５２ｂにそれぞれ供給され、それらの弁を開く（バネ力に対してそれらを引き近づける）。弁５２ｃおよび５２ｄには真空を供給せず、対応するバネ７６により対応するプランジャ７４が供給ライン２６ａおよび２６ｂの両方を締め閉じるようにする。
【００６３】
同時に、コントローラ４６によりソレノイド４８ｅを開き、順に真空ライン６６ｅに沿って疎水性膜６４を通り、排液コンテナ６０のチャンバに真空を引き込むことができる。排液コンテナ６０内の真空は、液体を患者の腹膜腔から患者ライン５６を通じ、排液ライン５８を経由してコンテナ６０に引き込む。ここでコンテナの充填が開始する。上述のように、ひずみゲージ８４からのフィードバックは、コントローラ４６および可変真空源７０と協働し、液体が患者から排液コンテナ６０に引き抜かれる速度を最適化する。患者の排液は真空を通して行われるため、患者は、排液コンテナ６０より低い高度レベル、同一レベル、または重力により効率的に患者から排液するには十分でないが、排液コンテナ６０より高い高度レベルにあってもよい。
【００６４】
一実施形態における排液サイクルは、患者の腹膜から排液コンテナ６０への液流を最適化し、患者が快適な状態に維持されることを保証するプロファイルを使用して行う。これを行うため、一実施形態における容量測定値から排液流量を計算し、患者がいつ不快感を受けやすくなるかを判断する。例えば、プロファイルは、排液サイクルを２つの相に分け、一方を高流量相、他方を低流量相としてもよい。患者が低流量相に到達した場合は、そのような低流量で生じ得る不快感を考慮し、真空を調節する。
【００６５】
排液サイクルの開始時に、比較的低い吸気圧力を使用し、高流量相を実施してもよい。これは、使用済みの液源が比較的豊富にあり、患者の腹膜腔から容易かつスムーズに流れるためである。患者の腹膜が徐々に空になり、また使用済みの液源が次第に減少するにつれ、排液流は減速し始める。図５は、排液流量の変化として当業者に理解される「ブレークポイント」の概念を示し、ブレークポイントは、腹膜が比較的空であることを示す。システム１０は、次に吸気圧力を下げ、患者に痛みをもたらさないようにする。例えば、吸気圧力を−１．５ｐｓｉｇから−１．２ｐｓｉｇまで下げる。プロファイルをこのように調節し、できる限り迅速、安全かつ快適に患者から排液する。
【００６６】
いつ低流量相が生じ、どれだけ排液流量が低下するかは、各患者で異なる可能性がある。例えば、ある患者は、充填容量の７０％が排液された後に高流量相から低流量相に移行する可能性があるが、別の患者は、充填容量の９０％が排液されるまで移行しない可能性がある。また低流量相に到達した場合に、第１患者の流量は、５０ｍｌ／分以下に下がる可能性があるが、第２患者の流量は２５ｍｌ／分以下に下がる可能性がある。
【００６７】
図５のチャートは、患者の排液速度がどのように異なり得るかを説明する。ここで、２人の患者の初期排液速度は一定であり、排液サイクルの最初の１０分は密接に推移する。この時点で残りの容量は約９００ｍｌであり、第１患者の排液速度は、約８分の「ムーブオン」タイムの間に著しく減速し、この時点で排液サイクルは、患者の腹膜内に約５５０ｍｌの液体を残して停止する。一方、第２患者の場合、高い排液速度が約１３．５分まで継続する。この時点で残りの容量は約３００ｍｌであり、第２患者の排液速度は、約５分の「ムーブオン」タイムの間に著しく減速し、この時点で排液サイクルは、患者の腹膜内に約１５０ｍｌの液体を残して停止する。
【００６８】
上述の患者の生理的特徴に基づき、排液の流量と容量の組み合わせに基づいて吸気圧力の移行を行う。また「ムーブオン」タイムを調節し、患者が使用済みの液体を最後の一滴まで排出しようとして治療滞留時間を過度に無駄にしないようにする必要がある。
【００６９】
次に、第１の充填サイクルを実行する。一実施形態において、充填サイクルは、初期排液後に自動的に始まり、必要に応じて治療のこの期間中、患者が眠れるようにする。充填サイクルにおいて、制御装置４０のコントローラ４６によりソレノイド４８ｃまたは４８ｄのいずれかを開き、真空により供給ライン２６ａまたは２６ｂのうちの１つをそれぞれの弁５２ｃまたは５２ｄを介して開くようにすることができる。またコントローラ４６によりソレノイド４８ａを開き、真空により患者の弁５２ａを開くようにできる。次に、未使用の透析液は、供給バッグ２４ａまたは２４ｂのうちの１つから、多岐弁アセンブリ５０におけるインターフェースを通じ、患者ライン５６を経由して患者の腹膜腔に流れるようになる。患者の充填における送液は重力により行われる。したがって、供給バッグ２４ａおよび２４ｂは、チューブ１４および１６ならびにロック装置１８を介して、最小でも患者の腹膜腔より上のヘッド高距離があるように、例えば腹膜腔から３フィート（０．９ｍ）に設定する必要がある。供給ライン２６ａおよび２６ｂならびに患者ライン５６の内径が４ｍｍであると仮定すると、透析液の重力送液流は２００ｍｌ／分以上に達し、最高３００ｍｌ／分に至る可能性もある。
【００７０】
既知量の未使用の液体が患者に送達された後、滞留サイクルが生じ、ここで未使用の液体は患者の腹膜内に滞留する一方、拡散および浸透力により老廃物および過剰な水が患者から除去される。滞留期間は必要に応じて異なってもよいが、一般に透析治療処方に基づいて１〜２時間続く。滞留サイクルが生じた後、医師の処方に従い、上述の排液、充填および滞留サイクルを１回以上繰り返す。最終充填は、最終バッグを使用して行ってもよく、最終量の液体を患者に送達する。最終量の液体は、次回の治療が行われるまで患者の腹膜腔に残留する。またシステム１０は、警告目的で使用される１つ以上の圧力および／またはフローセンサを含み、例えば、屈折または脱離したラインを検出する。圧力／フローセンサは、患者ライン、排液ライン、供給ラインおよび真空ライン／マニホールドのいずれかの少なくとも１つの圧力／フローを感知するように構成してもよい。
【００７１】
治療の最後に、コンテナ６０に収集された液体の総量がわかる。さらに、すべての液体が供給バッグから患者に送達されたと仮定し、供給バッグ２４ａおよび２４ｂから送達された液体の総量もわかる。コンテナ６０において、供給バッグ２４から患者に送達された液体を超える追加重量の使用済み液体は、限外ろ過液として知られ、腎不全のために治療と治療の間に患者により維持される過剰な液体または水である。コンテナ６０内の液体の大部分は、前回の治療の最終バッグまたは最終充填に由来するため、２４時間の限外ろ過液容量は、前夜の最終充填容量を踏まえている。これは、一般にその時の治療の最終バッグ充填に近いか、または等しい。
【００７２】
実施形態において、排液ライン５８および真空ライン６６ｅを排液コンテナ６０の入口および出口６２ａおよび６２ｂにそれぞれ接続することは、迅速交換またはその他の着脱の容易な接続により行われる。これは、患者または介護者が、朝または治療後に、排液コンテナ６０をそれらのラインから容易に取り外し、その内容物を屋内排水、例えばトイレに流すことができるように行う。したがって、スケール８０は、排液コンテナ６０をラインから容易に取り外し、再装着できるように構成される。
【００７３】
次に図６〜１９を参照し、重力および真空により駆動されるシステムの第２の主要実施形態をシステム１００により説明する。システム１００は、システム１０と同一の構成要素の多くを含む。可能であれば、これらの構成要素に同一番号を付ける。例えば、システム１００は、蒸留端９０を有する患者ライン５６を含む。またシステム１００は、排液ラインまたはチューブ５８を含む。さらにシステム１００は、１つ以上の供給バッグ２４を含む（一般に、供給バッグ２４ａ、２４ｂ等のうちの１つを意味する）。供給バッグ２４は、供給ライン２６と流体連通する。システム１００は、ロードセルが患者に送達される液体の容量および患者から排出される液体の容量の両方を測定するという点においてシステム１０とは異なる。
【００７４】
またシステム１００は、治療の特定サイクル中に、液体を望ましい目的地に流すことを可能にする弁を含む。一実施形態における弁は、フェイルセーフのバネ／真空作動弁、例えば、図１０に関連して示される弁５２ａ〜５２ｄである。それらの弁は、システム１００の制御装置１１０の内側に位置する。制御装置１１０内の弁は、バネ７６等のバネアクチュエータ、およびシステム１０のプランジャ７４等のプランジャまたはピンチャを含む。一実施形態におけるシステム１００の弁の開閉は、システム１０に関連して上述されたとおりである。したがって、そのような動作を再度図示または説明する必要はない。
【００７５】
同様に、システム１００は、ヒータ１３０およびロードセル１８４を含む。ヒータ１３０は、ヒータ３０に関して上述された液体バッグ加温器の種類のいずれかであってもよい。しかし、システム１００におけるヒータ１３０は、制御装置１１０の上部に位置する。ヒータパンは、ロードセル１８４上に配置されるか、または組み込まれる。ロードセル１８４は、システム１０のひずみゲージ８４として、システム１００において同様の機能を実行する。つまり、ロードセル１８４は、真空によりデュアルチャンババッグ１２０に引き込まれる液体の重量を測定する。ここでさらに、ロードセル１８４は、患者に供給される未使用の透析液の重量を測定する。システム１００内のロードセル１８４は、デュアルチャンババッグ１２０内の液体の重量による圧縮力に基づいて、制御装置１１０内に位置するコントローラまたはＰＣＢ（ＰＣＢ４６に関して上述の各代替例を用いて構成される）に信号を送るように構成される（システム１０の例示的実施形態においては、ひずみゲージ８４は、制御コンテナ６０に引き込まれる液体の重量によりスケール８０に適用される張力に基づいて、信号を提供する）。そのため、ヒータ１３０およびロードセル１８４は、ヒータ３０およびロードセル８４と同様の機能を提供するが、それらの物理的構成および動作は異なる。
【００７６】
図示されるように、制御装置１１０は、システム１０の制御装置４０に関連して上述されたように、入力装置４４およびビデオモニタ４２を含む。システム１０に関する図２の電気レイアウトは、制御装置１１０の内側に収容されるシステム１００の電気レイアウトにも広く適用できる。つまり、ＲＡＭ、ＲＯＭ、マイクロプロセッサ（ＡＳＩＣまたはＭＯＳＦＥＴ）および１つ以上の電源を含むＰＣＢは、変化するアンペアまたは電圧信号をロードセル１８４、および１つ以上の温度測定装置（図示せず）から受信し、温度測定装置は、デュアルチャンババッグ１２０の未使用のコンテナ１２２内に位置する未使用の透析液を直接に、または未使用のコンテナ１２２内の加熱されたサプライに直接隣接するバッグ１２０の外面で、温度を測定する。
【００７７】
システム１００の電気スキームは、可変真空源に対する可変電気出力も含む（ライン８８ａに沿って図２に示されるシステム１０の可変真空源７０に提供されるものと同様）。さらに、システム１００のコントローラまたはＰＣＢは、（システム１０のコントローラ４６およびヒータ３０に関連して行われるように）可変またはデューティサイクル出力をヒータ１３０に送信する。実施形態における制御装置１１０は、電気的に作動されるソレノイド（例えば、システム１０のソレノイド４８ａ〜４８ｅ）を収容し、ソレノイドは、真空ライン（例えば、システム１０のライン６６ｃ〜６６ｅ）に沿って、弁（上述）および真空気密カバー１０２（図８Ａ、８Ｂ、１８および１９に示す）の下に確立された真空チャンバに真空を適用することを可能にするか、または可能にしない。システム１００は、システム１０のように、必要な真空ラインを含み、実施形態において、制御装置１１０の内部に収容される。
【００７８】
カバー１０２は、ロードセル１８４およびヒータ１３０の外周に位置するシール１０４により、制御装置１１０の上部に密閉される。シール１０４は、柔らかいゴムまたはスポンジゴムシール、例えば、ネオプレンゴムまたはクローズドセルスポンジシリコンゴムであってもよい。またシール１０４は、エラストマで構成されてもよく、真空下で十分に密閉する幾何学形状に押出または成形される。大気圧に面してその開口側を備えるＶ字型ガスケットは、適切な形状の真空シールの一例である。カバーの重量は、カバーを適所に保持するために十分であり得る。クランプ留め装置１０６、例えばバネ負荷ツイストクランプを提供し、制御装置１１０の上部と密閉関係でカバー１０２を保持してもよい。実施形態において、ヒンジ１０８は、カバー１０２が制御装置１１０の上部からヒンジ連結で回って上がるように提供される。また供給バッグ２４内の液体の重量は、制御装置１１０の上部に対するカバー１０２の密閉を助ける。その重量は、システム１００において使用される比較的低い陰圧下、例えば、約０〜−１．５ｐｓｉｇの間で密閉を維持するために十分である。また陰圧自体がふた１０２をガスケット１０４に引っ張る傾向にあるため、クランプ留め装置１０６および／またはヒンジ１０８は不要である。
【００７９】
またシステム１００は、再利用可能な排液コンテナまたは使い捨て可能な排液バッグ（簡略化のため図示せず、以下排液コンテナと称する）を含んでもよく、排液ライン５８に接続し、流体連通する。しかし、システム１００において、排液コンテナは計量されず、限外ろ過液除去の決定および制御のためにシステム１０の場合と同様には使用されない。ここでシステム１００の排液コンテナを使用し、使用済みの透析液を収集する。制御装置１１０の下に位置するように構成され、デュアルチャンババッグ１２０の使用済みのコンテナ１２４からの使用済みの液体が排液コンテナに重力送液される。
【００８０】
除去される液体の容量および流速の制御は、デュアルチャンババッグ１２０、ロードセル１８４、および弁の切り替え（図１０の弁５２ａ〜５２ｄに関連して上述のように、一実施形態において、バネで閉じ、真空で開く）を使用して行う。図９および１０に見られるように、デュアルチャンババッグ１２０は、加熱コンテナ１２２および一時的使用済みコンテナ１２４を含む。実施形態において、デュアルチャンババッグ１２０の加熱サプライバッグコンテナおよび一時的排液バッグコンテナ、１２２および１２４のそれぞれ形成するために使用される柔軟な膜が、弁部分１２８の少なくとも一部を形成するためにも使用される。流路１２６ａ〜１２６ｄは、例えば、熱形成され、デュアルチャンババッグ１２０の上層または下層の１つであってもよい。代替実施形態において、コンテナ１２２および１２４を形成するために使用される２つの層を硬質部材に密閉し、弁部分１２８を形成する。さらに代替として、弁部分１２８をバッグ１２０から分離し、流路１２６ａ〜１２６ｄの一部を形成する個別のチューブを介してそこに流体連通する。
【００８１】
流路１２６ａ〜１２６ｄは、それぞれ弁座１３６ａ〜１３６ｄと流体連通する。以下の理由から、追加の弁座１３６ｅを流路１２６ｂ、１２６ｃおよび患者ライン５６の交差点に配置する。加熱された未使用のコンテナ１２２は、供給ライン２６および流路１２６ａ、１２６ｂと流体連通する。一時的使用済みコンテナ１２４は、排液ライン５８および流路１２６ｃ、１２６ｄと流体連通する。コンテナ１２２および１２４はいずれも患者ライン５６と流体連通するため、第５の弁１３６ｅが必要となる。
【００８２】
図６に見られるように、制御装置１１０は、ナイトスタンド上、または患者の腹膜より高いその他の場所に配置される。デュアルチャンババッグ１２０は、制御装置１１０の上に位置し、よって患者の腹膜より上にある。さらに、供給バッグ２４は、デュアルチャンババッグ１２０より高く配置され、デュアルチャンババッグ１２０を重力充填できる。デュアルチャンババッグ１２０は、順に患者の腹膜を充填する。さらに、前述のように、デュアルチャンババッグ１２０の一時的使用済みコンテナ１２４に保存された使用済みの透析液を、例えば、寝室または治療を行うその他の部屋の床に配置された排液コンテナまたは排液バッグに重力充填してもよい。
【００８３】
図１１〜１９は、システム１００の一構成およびセットアップシーケンスを説明する。図１１は、ロードセル１８４がベースプレート１８６に載置されることを説明する。一実施形態において、ロードセル１８４はデュアルロードセルであり、冗長を提供する。プレート１８６は、硬質プラスチックまたは金属、例えば、ステンレス鋼、スチールまたはアルミニウムであってもよい。図１２は、加熱されたバッグホルダ１３０がロードセル１８４に載置されることを説明する。加熱されたバッグホルダ１３０は、ホルダを形成するテーパのついた底面１３２および側面１３４を加熱する加熱要素（図示せず）を含む。テーパのついた底面１３２は、バッグを加熱されたバッグホルダ１３０の開口（ライン接続）端に向けて下方に傾斜し、液体をバッグ１２２および１２４の外に配向する助けとなる。底面１３２から側面１３４への移行部を面取り、または丸くして、バッグ１２２および１２４の支持を助け、ヒータ接触領域を増大させる。
【００８４】
図１３は、多岐弁アセンブリ５０もベースプレート１８６に載置されることを示す。多岐弁アセンブリ５０は、図４に関連して図示および説明される６つのピンチ弁ユニットであってもよい。図１４は、制御装置１１０に載置されるプレート１８６、加熱されるバッグホルダ１３０および多岐弁アセンブリ５０を示す。制御装置１１０は、本明細書に記載されるように、ビデオモニタ４２および入力装置４４を含む。また制御装置は、患者ライン５６および排液ライン５８を加熱バッグ１２２および排液バッグ１２４にそれぞれ接続するためのスロット１１２を含む、または画定する。また制御装置は、ラインホルダ１１４、例えば、プライミングのための患者ライン５６の遠位端９０を固定するプレス嵌めラインホルダを含む、または画定する。
【００８５】
図１５は、システム１００の使い捨て可能なセット１９０の一構成を示す。使い捨て可能なセット１９０は、患者ライン５６および排液ライン５８を含み、クロス１８８と流体連通する。供給ライン２６は、Ｔ字部１９２において患者ライン５６とＴ字を形成する。患者ライン５６は、肘部１９４を経由してクロス１８８に接続され、肘部１９４は、ラインを適切に配向して使い捨て可能なセット１９０のクロス１８８の領域を制御装置１１０に装填する。ライン２６、５６および５８の遠位端は、必要に応じてコネクタおよびクランプを備える。
【００８６】
図１６〜１９は、システム１００の第２の主要実施形態のわずかに異なる構成を示す。ここでは、個別のコンテナ１２２および１２４を有するデュアルチャンババッグ１２０の代わりに、個別の加熱バッグ１２２および供給バッグ１２４を使用する。図１６は、使い捨て可能なセット１９０のクロス１８８の領域が、制御装置１１０内、具体的には多岐弁アセンブリ５０のヒンジ取付扉の後ろに装填されていることを示す。ラインは、多岐弁アセンブリ５０の選択されたピンチ弁と動作可能な位置に配置され、選択的に開閉できる。患者ライン５６の遠位端９０は、プライミングのためのラインホルダ１１４に嵌入される。加熱バッグ１２２は、加熱されたバッグホルダ１３０内に配置され、それにより支持される。患者ライン５６は、加熱バッグに接続される。
【００８７】
図１７において、空の一時的排液バッグ１２４は、加熱バッグ１２２の上に配置される。排液ライン５８は、この排液バッグに接続される。上述のように、この構成において、加熱バッグ１２２および排液バッグ１２４は、単一のデュアルチャンババッグ１２０の一部ではなく、個別のバッグである。いずれの構成も使用できる。ここで、前日の供給バッグを当日の空の一時的加重バッグとして使用し、コストと処分できる老廃物の容量を削減できる。図１８において、カバー１０２は、バッグ１２２および１２４の上に配置される。図１９において、供給バッグ２４は、カバー１０２上に配置される。供給ライン２６は、供給バッグ２４に接続される。ここでシステム１００は、プライムされる準備が完了する。
【００８８】
デュアルチャンババッグ１２０を使用するか、または個別のバッグ１２２および１２４を使用するか否かにかかわらず、システム１００のプライミングサイクルにおいて、弁座１３６ａ〜１３６ｅがそれぞれ開き、液体が各ラインを通って流れるようにする。プライミングは、患者ライン５６を含む空気のラインをすべてパージする。ラインに空気が存在しないことにより、ロードセル１８４は、患者に送達された液体の容量および患者から排出された液体の容量を正確に測定することができ、また患者への空気の送達を防ぐ。重力が加熱された未使用のコンテナまたはバッグ１２２から患者への空気の送達を防ぐため、ヒータバッグ１２２またはデュアルチャンババッグ１２０をプライムで完全に充填する必要はない。加熱された未使用のコンテナまたはバッグ１２２は、例えば、疎水性膜を含む排気口（図示せず）を備えてもよく、排気口は、液体で充填されるにつれ、コンテナ１２２から空気がパージされる。
【００８９】
制御装置１１０内のコントローラまたはＰＣＢは、真空源により弁座１３６ａおよび１３６ｅにおいて弁を開くことにより、未使用の液体が供給バッグ２４から供給ライン２６を通り、流路１２６ａを経由して、デュアルチャンババッグ１２０（または個別のバッグ１２２）の下の供給コンテナ１２２に入り充填できるようにする。コンテナ１２２は、ヒータ１３０に接触し、流路１２６ｂを通り、患者ライン５６を経由して遠位端９０に至る。システム１０に関連する上記のように、システム１００は、プライミングサイクル期間中、患者ライン５６の遠位端９０を、供給バッグ２４と少なくとも実質的に同一の高さに保持する装置を含む。プライムを終わると、患者は、患者ライン５６の遠位端９０を患者に縫い込まれたポートに接続する。このポートは、挿入されたカテーテルを経由して患者の腹膜と連通する。プライムの間に、供給コンテナまたはバッグ１２２内の未使用の透析液の加熱を開始してもよい。
【００９０】
システム１０の場合のように、一実施形態における治療の次のステップは、患者の最後の治療からの最終バッグの容量を除去することである。これを行う前に、未使用のコンテナまたはバッグ１２２に入っている未使用の液体の重量を記録する。その後、真空源により、（ｉ）弁座１３６ｃおよび１３６ｅにおいて弁を開き、そして（ｉｉ）真空型カバー１０２内に真空を引き込むことができる（プライムため事前に開かれた弁座１２６ａおよび１２６ｂにおける弁は、ここで閉じられる）。この作用により、使用済みの液体が患者の腹膜からライン５６を通り、デュアルチャンババッグ１２０の一時的使用済みのコンテナ１２４に引き込まれる。そのため、プライムからの未使用の透析液のバッチが加熱されると同時に、以前の最終バッグの容量を患者から抜かれることができる。デュアルチャンババッグ１２０に入る使用済みの液体の追加重量を記録する。
【００９１】
供給コンテナ１２２内の液体の容量がその望ましい温度に加熱されるとすぐに、患者に送達してもよい（これは、最終バッグの容量が患者から完全に除去される前に生じないと仮定する）。最終バッグの除去よりも加熱に時間を要すると仮定し、未使用のコンテナ１２２内の未使用の液体を加熱しながら、一時的使用済みのコンテナ１２４を排液バッグに排水してもよい。ここで、制御装置１１０は、弁を弁座１３６ｄで動作させてパス１２６ｄを開くことにより、使用済みの液体を一時的使用済みのコンテナ１２４から排液バッグに重力排出できる。ドレインのこの部分が充填前に生じる場合は、各コンテナ１２２および１２４に送達される液体および各コンテナから送達される液体の量をダブルチェックできるように、デュアルチャンババッグ１２０内の重量の低下が、ロードセル１８４により記録され得る。
【００９２】
コンテナ１２２における未使用の液体がその望ましい温度に加熱されると、加熱された未使用の透析液は、流路１２６ｂを通って送達され、弁座１３６ｂおよび１３６ｅを通過し、患者ライン５６を経由して患者の腹膜に入る。透析液の加熱に伴う透析液からのガスは、未使用のコンテナ１２２の上部で収集される。したがって、流路１２６ｂと未使用のコンテナ１２２との間のインターフェースは、液体のみがコンテナ１２２から患者ライン５６に流れるように、未使用のコンテナ１２２の底面またはその付近に位置する。既知量の未使用の液体を患者に送達した後に、滞留サイクルが生じる。ここで、未使用の液体は患者の腹膜内に滞留する一方、拡散および浸透力により老廃物および過剰な水が患者から除去される。滞留期間は、例えば、透析治療処方に応じて、１〜２時間続く場合がある。
【００９３】
滞留期間中のデュアルチャンババッグ１２０または個別バッグの状態に応じて、異なる充填、排液および弁調節シーケンスが生じ得る。例えば、まだ行っていないならば、滞留サイクル中のシステム１００のコントローラは、一時的使用済みのコンテナまたはバッグ１２４内にある最終バッグの使用済み透析液を排液コンテナに重力送液することができる。この後半の充填は、加熱用に未使用の透析液のコンテナ１２２またはバッグへの第２の充填が起こる間に生じる。一時的使用済みコンテナまたはバッグ１２４の排液は、それらの重量が計算に不要であるため、未使用のコンテナまたはバッグ１２２の補充と同時または順次に生じてもよい。第１の充填が患者から除去され、第２の充填がその望ましい液体温度に加熱された場合、第２の充填を第２の滞留期間等の間、患者に送達してもよい。
【００９４】
恐らく最初の最終バッグの容量は、第１の滞留が生じる前に最終の使用済みコンテナに送液されているため、未使用の透析液の第２バッチを供給バッグ２４からデュアルチャンババッグ１２０の未使用のコンテナまたはバッグ１２２に送達して加熱してもよい。これが起こる場合、一時的使用済みコンテナまたはバッグ１２４は空であるため、システム１００は、第２の充填液体の重量が第２の充填の最終時のコンテナまたはバッグ１２２の重量に等しいことを把握している。第１の滞留期間が終了すると、未使用のコンテナまたはバッグ１２２内で液体が加熱されている間、使用済みの液体が真空により一時的使用済みコンテナまたはバッグ１２４に駆動される。第１の充填が患者から除去され、第２の充填がその望ましい液体温度まで加熱された場合、第２の充填を第２の滞留期間等に患者に送達してもよい。システム１００は、上述のように動作する最終バッグの容量を治療の最後に送達してもよい。
【００９５】
システム１０および１１０は、どちらも前述のバッチ型治療の代替として、潮流腹膜透析治療（ｔｉｔａｌ  ｆｌｏｗ  ｐｅｒｉｔｏｎｅｕｍ  ｄｉａｌｙｓｉｓ  ｔｒｅａｔｍｅｎｔ）を行うことができる。潮流システムにおいて、使用済みの液体の一部のみを患者の腹膜から除去する。除去した使用済み分を戻し、未使用の液体で充填する。部分交換は、バッチ型治療で典型的に行われるよりも頻繁に生じる。したがって潮流治療は、より連続的である。
【００９６】
当然のことながら、本明細書において説明される本好適な実施形態に対する多様な変更および修正は、当業者には明らかとなるであろう。そのような変更および修正は、本発明の精神および範囲から逸脱することなく、またその意図される利点を失うことなく行うことができる。したがって、そのような変更および修正は、添付の請求項の対象であることが意図される。
【図１】
0005479090.tif 000002
【図２】
0005479090.tif 000003
【図３】
0005479090.tif 000004
【図４】
0005479090.tif 000005
【図５】
0005479090.tif 000006
【図６】
0005479090.tif 000007
【図７Ａ】
0005479090.tif 000008
【図７Ｂ】
0005479090.tif 000009
【図８Ａ】
0005479090.tif 000010
【図８Ｂ】
0005479090.tif 000011
【図９】
0005479090.tif 000012
【図１０】
0005479090.tif 000013
【図１１】
0005479090.tif 000014
【図１２】
0005479090.tif 000015
【図１３】
0005479090.tif 000016
【図１４】
0005479090.tif 000017
【図１５】
0005479090.tif 000018
【図１６】
0005479090.tif 000019
【図１７】
0005479090.tif 000020
【図１８】
0005479090.tif 000021
【図１９】
0005479090.tif 000022